(57)【要約】      （修正有）【課題】構造が簡単で、容易に清掃素子を分解、組立、交換することができる水絞り板を具有するコロジオンモップに使用する清掃素子の固定構造を提供する。【解決手段】モップ１の清掃素子１０の頂面に第１粘着ピース２０と、モップ１の水絞り板６の底面にある第２粘着ピース３０とを設ける。清掃素子１は分解方式でもって水絞り板６の下方で組立てる。第１，２粘着ピースの表面には、各互いに拘着する勾形体３１及び毛布体２１を備え、第１，２の粘着ピース２０，３０が互いに結合できるように構成されている。【選択図】図２
0003157607.tif 000002
【実用新案登録請求の範囲】
【請求項１】
水絞り板を有するコロジオンモップに用いる清掃素子の固定構造であって、
清掃素子は,吸水弾性材料から成り、且つ、前記のモップ水絞り板底面に設けられ、
更に、前記清掃素子頂面と上記水絞り板の底面は, 互いに接合する表面へ第１粘着ピースを設けてあり、両側の水絞り板の底面に各第２粘着ピースを設置しており、而もその第１、第２粘着ピース表面には相互に拘着するための勾形体及び毛布体が設置されて、前記第１、第２粘着ピースが互いに結合でき、更に、該清掃素子が分解され、且つ、組立ても容易となることを特徴とする水絞り板を有するコロジオンモップに用いる清掃素子の固定構造。
【請求項２】
上記勾形体は第２粘着ピースの表面に設け、上記毛布体は上記第１粘着ピースの表面に設けたことを特徴とする請求項１に記載の水絞り板を有するコロジオンモップに用いる清掃素子の固定構造。
【請求項３】
上記勾形体は水絞り板と一体成形して、その水絞り板の底面に設けることを特徴とする請求項２に記載の水絞り板を有するコロジオンモップに用いる清掃素子の固定構造。
【請求項４】
上記勾形体は第１粘着ピースの上に設けられ、毛布体は第２粘着ピースの表面に設けられたことを特徴とする請求項１記載の水絞り板を有するコロジオンモップに用いる清掃素子の固定構造。
【請求項５】
上記清掃素子頂面の二側辺には、各水絞り板の頂面を囲繞し、且つ、互いに係止貼付の固定帯を設置し、もって、清掃素子を水絞り板底面に組立てた時、組立てる強度を増強することを特徴とする請求項１，２，３又は４記載の水絞り板を有するコロジオンモップに用いる清掃素子の固定構造。
【請求項６】
モップの清掃素子は、吸水弾性材料から成り、且つ、該モップの水絞り板底面に設けられ、更に、 
該清掃素子頂面と上記水絞り板の底面は相互に接合する表面に第１粘着ピースを設け、該水絞り板の底面には第２粘着ピースを設け、該第１、２粘着ピース表面に,各互いに拘着する勾形体、又、各勾形体の尾端は逆勾形状を有することで、第１、２粘着ピースが相互に貼合した後、該第１、２粘着ピース上の勾形体尾端の逆勾形状は相互に拘着して、第１、２粘着ピースを相互に結合することができるようにしたことを特徴とする水絞り板を有するコロジオンモップに用いる清掃素子の固定構造。
【請求項７】
上記第２粘着ピースの勾形体は, 水絞り板と一体成形的に水絞り板の底面に設けられたことを特徴とする請求項６に記載の水絞り板を有するコロジオンモップに用いる清掃素子の固定構造。
【請求項８】
上記清掃素子頂面の二側辺に、各水絞り板を囲繞し、且つ、相互に係止貼合の固定帯を設け、もって清掃素子を水絞り板底面に組付ける時、該組付け力を増強することができるようにしたことを特徴とする請求項６又は７記載の水絞り板を有するコロジオンモップに用いる清掃素子の固定構造。
【考案の詳細な説明】
【技術分野】
【０００１】
本考案はコロジオンモップの清掃素子の固定構造に関するものであり、特に、水絞り板を有するコロジオンモップに用いる清掃素子の固定構造に関するものである。
【背景技術】
【０００２】
日常の生活中においてモップは清掃室内地板の最も主要な工具にある。これはモップを用いることで水拭きの際、腰の折り曲げ、うずくまる辛苦が減少できる。且つ、従来のモップ構造は把持棒を具有し、把握棒前段に布地條或いは綿條等の清掃素子設け、そして、綿條或いは布地條等の清掃素子で吸水後、塵埃と附着力を発生するので地板の塵埃を抹消する。但しこの種のモップは水絞り装置がないので水絞り及び乾かすための機構も備えていない。故にモップで清掃した後、このモップを水につけて清浄し、そして、之を乾燥させる場合は、多くは人の手によって絞るか或いは足にて踏み付けて絞っている。
【０００３】
最近、市場に、いわゆる快速のモップが出現したが、それは吸水性を有するコロジオンを利用して清掃素子となし、使用する清掃素子は一つの長條状のコロジオンであり、使用後、容易に水を浸して洗淨し、清掃素子上に付着した塵土を洗い流したので、前記従来品に比し、更に簡便となっている。
【０００４】
しかしながら、この種の快速モップの水絞り機構は、連接棒裝置を利用して前述の清掃素子を動かし、そして二箇の長條状ロールから形成する狹い隙間を通過し、且つ、清掃素子が絞り圧を受けて、更に清掃素子内で吸收した水分を絞って乾かす。その操作の際には必ず力一杯連接捧を引き動くことで、始めて全体の清掃素子を動かし、その水絞りローラの狹い隙間を貫通するので、操作上容易ではない。又、清掃素子の構造も分解交換が容易でない等の欠陥を有している。
【０００５】
本考案は上述の欠陥を解決するため、出願者は日本の特許第3097334号「水絞りモップ」にて、水絞り機構のコロジオン式モップを提案している。そして、その主要なる構造はモップの把持棒底部に二箇の相對的揺動で、強く鋏む動作を生ずる水絞り板を設けると共に、その水絞り板の下方に長條状コロジオン清掃素子を設けてある。そして、そのモップ把持棒上は別に一連接棒裝置を設けているが、それは水絞り板を動かし、水絞りを強く鋏む動作を為すように形成されている。
【０００６】
而して、この種モップの水絞り方式は、 水絞り板を強く鋏む方式の利用で清掃素子の水分を絞って乾かし、その水絞り機構の設計は操作上從來の快速モップに較べて、省力、且つ、操作が更に容易である。然しながら、その清掃素子は彈性を有するコロジオン材料にて作成したので、 コロジオン清掃素子を長時間使用すると、摩耗或いは変質して損壞するので、定期的に交換する必要がある。このため如何にしてコロジオンを容易に水絞り板上に設置するか、又は、如何にして使用者が容易にコロジオンを水絞り板上から取外して交換することができるか等の問題が生じる。
【０００７】
又、前記第3097334号において、清掃素子の固定構造は、 清掃素子頂面に定位板を設け、該定位板上に多数箇の勾形体を設けて、その勾形体を利用して多数箇の水絞り板上に設置した孔へ挿入し、而も、その清掃素子を插し拔き方式でモップの水絞り板の下方に定着している。
【０００８】
この種の勾形体と孔洞を利用した嵌合の清掃素子は、その固定構造が使用上最も不便な点は、その清掃素子を分解、組立の際に使用者は、相当の力を要して勾形体を水絞り板の孔中から拔き出す必要がある。又、清掃素子の定位板上に設置する勾形体の数量が相当に多いため、清掃素子を分解する際にも相当に力を要し、同時に、たとえば勾形体と孔嵌合が密でない場合、これも清掃素子が水絞り板下方で揺動することがある。
【先行技術文献】
【特許文献】
【０００９】
【特許文献１】特許第３０７３３４号公報
【考案の概要】
【考案が解決しようとする課題】
【００１０】
水絞式コロジオンモップであって、構造が簡単、且つ、容易に清掃素子を分解し、組立交換も容易に行える水絞り板を有するコロジオンモップ清掃素子の固定構造を提供するために解決せられるべき技術的課題が生じるのであり、本考案は該課題を解決することを目的とする。
【課題を解決するための手段】
【００１１】
本考案は上記目的を達成するために提案せられたものであり、請求項１記載の考案は、
水絞り板を有するコロジオンモップに用いる清掃素子の固定構造であって、清掃素子は、吸水弾性材料から成り、且つ、前記のモップ水絞り板底面に設けられ、更に、前記清掃素子頂面と上記水絞り板の底面は、互いに接合する表面へ第１粘着ピースを設けてあり、両側の水絞り板の底面に各第２粘着ピースを設置しており、而もその第１、第２粘着ピース表面には相互に拘着するための勾形体及び毛布体が設置されて、前記第１、第２粘着ピースが互いに結合でき、更に、該清掃素子が分解され、且つ、組立ても容易となることを特徴とする水絞り板を有するコロジオンモップに用いる清掃素子の固定構造を提供する。
【００１２】
請求項２記載の考案は、上記勾形体は第２粘着ピースの表面に設け、上記毛布体は上記第１粘着ピースの表面に設けたことを特徴とする請求項１に記載の水絞り板を有するコロジオンモップに用いる清掃素子の固定構造を提供する。
【００１３】
請求項３記載の考案は、上記勾形体は水絞り板と一体成形して、その水絞り板の底面に設けることを特徴とする請求項２に記載の水絞り板を有するコロジオンモップに用いる清掃素子の固定構造を提供する。
【００１４】
請求項４記載の考案は、上記勾形体は第１粘着ピースの上に設けられ、毛布体は第２粘着ピースの表面に設けられたことを特徴とする請求項１記載の水絞り板を有するコロジオンモップに用いる清掃素子の固定構造を提供する。
【００１５】
請求項５記載の考案は、上記清掃素子頂面の二側辺には、各水絞り板の頂面を囲繞し、且つ、互いに係止貼付の固定帯を設置し、もって、清掃素子を水絞り板底面に組立てた時、組立てる強度を増強することを特徴とする請求項１，２，３又は４記載の水絞り板を有するコロジオンモップに用いる清掃素子の固定構造を提供する。
【００１６】
請求項６記載の考案は、モップの清掃素子は、吸水弾性材料から成り、且つ、該モップの水絞り板底面に設けられ、更に、該清掃素子頂面と上記水絞り板の底面は相互に接合する表面に第１粘着ピースを設け、該水絞り板の底面には第２粘着ピースを設け、該第１、２粘着ピース表面に、各互いに拘着する勾形体、又、各勾形体の尾端は逆勾形状を有することで、第１、２粘着ピースが相互に貼合した後、該第１、２粘着ピース上の勾形体尾端の逆勾形状は相互に拘着して、第１、２粘着ピースを相互に結合することができるようにしたことを特徴とする水絞り板を有するコロジオンモップに用いる清掃素子の固定構造を提供する。
【００１７】
請求項７記載の考案は、上記第２粘着ピースの勾形体は、水絞り板と一体成形的に水絞り板の底面に設けられたことを特徴とする請求項６に記載の水絞り板を有するコロジオンモップに用いる清掃素子の固定構造を提供する。
【００１８】
請求項８記載の考案は、上記清掃素子頂面の二側辺に、各水絞り板を囲繞し、且つ、相互に係止貼合の固定帯を設け、もって清掃素子を水絞り板底面に組付ける時、該組付け力を増強することができるようにしたことを特徴とする請求項６又は７記載の水絞り板を有するコロジオンモップに用いる清掃素子の固定構造を提供する。
【考案の効果】
【００１９】
本考案の水絞り板を有するコロジオンモップに用いる清掃素子の固定構造により、第１粘着ピースと第２粘着ピースによる接触面積が大きいので、清掃素子がその水絞り板の底面へ円滑に組立てることができる。而も、使用者が清掃素子を分解する時、単に、第１粘着ピース及び第２粘着ピースから一角をちぎり取るのみで、第１粘着ピース上の毛布体と第２粘着ピース３０上の勾形体とが容易に分離し、清掃素子を水絞り板上から分解することができる。
【００２０】
又、清掃素子を水絞り板に付着させるための強度を増すために、清掃素子頂面に固定帯を設け、該固定帯は清掃素子頂面の両側に固定していて、且つ、水絞り板頂面を囲繞して接合されるように形成されると共に、勾形体は水絞り板と一体成して水絞り板底面に設けてある。又、該勾形体は水絞りと同一の成形ダイス型を用いて成形されることができるので、水絞り板の射出成形時に同時に該勾形体と一体成形され、製造上のコストダウンにも寄与できる。
【図面の簡単な説明】
【００２１】
【図１】本考案の第１実施例の立体組み合せ図。
【図２】本考案の第１実施例のモップと清掃素子が分離状態下の立体図。
【図３】本考案の第１実施例が使用する清掃素子頂面と水絞り板の局部拡大立体図。
【図４】本考案のコロジオンモップの改良構造で、水絞り動作状態下の使用状態表示図。
【図５】本考案の水絞り板と清掃素子を組み合わせた状態の側面図で、清掃素子と水絞り板の固定方式を掲示するのに用いる。
【図６】本考案の第２実施例が使用する水絞り板と清掃素子の局部拡大立体図。
【図７】本考案の第３実施例が使用する水絞り板と清掃素子の局部拡大立体図。
【図８】本考案の第４実施例の清掃素子と水絞り板の拡大立体図。
【図９】本考案の第４実施例の清掃素子と水絞り板組合せ状態の側面図。
【図１０】本考案の第５実施例の清掃素子の立体図。
【考案を実施するための最良の形態】
【００２２】
本考案は、水絞り式コロジオンモップであって、構造が簡単、且つ、容易に清掃素子を分解し、組立ても容易に行える水絞り板を有するコロジオンモップ清掃素子の固定構造を提案し、水絞り板を有するコロジオンモップに用いる清掃素子の固定構造であって、清掃素子は、吸水弾性材料から成り、且つ、前記のモップ水絞り板底面に設けられ、更に、前記清掃素子頂面と上記水絞り板の底面は、互いに接合する表面へ第１粘着ピースを設けてあり、両側の水絞り板の底面に各第２粘着ピースを設置しており、而もその第１、第２粘着ピース表面には相互に拘着するための勾形体及び毛布体が設置されて、前記第１、第２粘着ピースが互いに結合でき、更に、該清掃素子が分解され、且つ、組立ても容易となることを特徴とする水絞り板を有するコロジオンモップに用いる清掃素子の固定構造を提供することにより本考案の目的を実現した。
【実施例】
【００２３】
以下、本考案の好適な実施例を図に従って詳述する。
【００２４】
図１は本考案第１実施例の清掃素子１０及び該清掃素子１０と合わせて使用するモップ１を示す。而して、該清掃素子１０はコロジオンから成り、且つ、略楕円断面形状の長條体を呈して、モップ１の底面に設けられ、使用者が清掃素子を利用して床面等を清掃する。
【００２５】
モップ１は把持棒２を有し、その把持棒２の底部にフレームブラケット３を設け、該フレームブラケット３は略逆三角形の構造を呈し、その頂端中央は前記把持棒２下端部と接続され、而も、その底部両側には、各枢着部４，４にて接続部材５，５を各枢着し、そして、該接続部材５，５に水絞り板６，６が装着され、該水絞り板６，６が動揺方式でもって、フレームブラケット３底部の両側に内嵌される。そして、把持棒２の中段部分にひき棒７の一端部が枢着され、該他端にひさ柄を有して、使用者が手でもって引き動かす。而も、該引き棒７の中段部分には連接棒８の一端部が枢着されている。又、該連接棒８の他端部はフレームブラケット３を貫通し、而も、水絞り板６，６中央の接続座９と枢着されている。図４に示す如く、使用者が前述ひき棒７を引き動した時、連接棒８を介して接続座９を率動し上向きに移動して前記水絞り板６，６を動かし、強く挾み込み、該水絞り板６，６の強力な挾み動作で、水絞り板６，６下方の清掃素子１０が絞圧を受け、水分を絞り乾かす。
【００２６】
図２及び図３に示す如く、 本考案の主要特徴は、清掃素子１０頂面において少なくとも第１粘着ピース２０を装着してあり、更に、前記水絞り板６，６底面にも前記第１粘着ピース２０と互いに結合する第２粘着ピース３０が装着されている。又、前記第１粘着ピース２０表面はナイロン或いは、その他高分子纖維の織りまざりから成る毛布体２１が装着され、前記第２粘着ピース３０表面には濃密な勾形体３１が設けられている。又、該第２粘着ピース３０表面の勾形体３１末端には各逆勾形状３２を有し、このため第１粘着ピース２０表面の毛布体２１を拘着できる。
【００２７】
図５に示す如く、もし清掃素子１０が水絞り板６底面に裝置したなら、その第２粘着ピース３０表面の勾形体３１は、第１粘着ピース２０表面の毛布体２１を拘着できて、清掃素子１０を水絞り板６，６底面に固定する。本考案の清掃素子１０は、この種の固定機構を採用し、第１粘着ピース２０と第２粘着ピース３０による接触面積が相当に大きいので、清掃素子１０がその水絞り板６底面へ円滑に組立できる。而も、使用者が清掃素子を分解する時、単に第１、２粘着ピース２０、３０から一角をちぎり取るのみで、 第１粘着ピース２０上の毛布体２１と第２粘着ピース３０上の勾形体３１とが容易に分離し、清掃素子１０を水絞り板６上から分解することができる。
【００２８】
この外、清掃素子１０の水絞り板６上の強度を増すために、更に一歩進んで清掃素子１０頂面に若干組の固定帯４０を設け、図１及図４に示す如く、該固定帯４０は清掃素子１０頂面の二側に固定していて、且つ、水絞り板６頂面に囲繞固着している。又、該固定帯４０の末端はその水絞り板６，６頂面をめぐった後に、互いに一緒に粘着できる。並びに、清掃素子１０をその水絞り板６，６底面へ堅く縛る。
【００２９】
図６は本考案の第二実施例であり、その実施例の基本構造は第一実施例と同じで、主なる相違点はその使用する第２粘着ピース３０Ａが、略短円柱形を呈する勾形体から成り、且つ、勾形体３１Ａは水絞り板６Ａと一体成形して水絞り板６Ａ，６Ａ底面に設けてある。又、該勾形体３１Ａは水絞り板６Ａ，６Ａと、同じ成形ダイス型を使用して製造成形される。このため、その水絞り板６Ａ，６Ａが射出成形時に、同時に該勾形体３１Ａと一体成形されて水絞り板６Ａ表面に設置される。
【００３０】
図６に示す如く、前記勾形体３１Ａの末端には各逆勾形状３２Ａを有し、その逆勾形状３２Ａを介して第１粘着ピースの毛布体を拘着し、而も、第２粘着ピース３０Ａと、清掃素子頂端にある第１粘着ピースとが互いに結合する。
【００３１】
図７は本考案の第３実施例を示す。該実施例の主要なる相違点は、前述第１、２粘着ピース上の勾形体と毛布体との設置位置を互いに取り替える。そして、第３実施例の清掃素子の１０Ｂ頂面上には第１粘着ピース２０Ｂを設けてあり、該第１粘着ピース２０Ｂ表面はその表面に濃密な勾形体２１Ｂを設け、而も、水絞り板６Ｂ底面に第２粘着ピース３０Ｂを装着する。又、第２粘着ピース３０Ｂ表面には前記第１粘着ピース２０Ｂ表面の勾形体へ供する拘着用の毛布体３１Ｂを設ける。よって前記第１、２粘着ピース２０Ｂ，３０Ｂ上の勾形体２１Ｂと毛布体３１Ｂが互いに拘着するのは、第１、２粘着ピース２０Ｂ，３０Ｂを互いに結合させ、而もその清掃素子１０Ｂを水絞り板６Ｂの下方に設ける。
【００３２】
図８及び図９は本考案の第４実施例を示す。その実施例は清掃素子１０Ｃ頂面に第１粘着ピース２０Ｃが設置しており、更に、該前記水絞り板６Ｃ底面に第２粘着ピース３０Ｃを設けている。その主なる相違点は、 第１、２粘着ピースの表面に各勾形体２１Ｃ，３１Ｃを設けている点である。図９に示す如く、前記勾形体２１Ｃ，３１Ｃの尾端に各逆勾形状２２Ｃ，３２Ｃを設け、この逆勾形状２２Ｃ，３２Ｃを介して互いに嵌合する。而も、その第１、２粘着ピース２０Ｃ，３０Ｃが互いに結合できる。
【００３３】
この実施例の構造は、第１粘着ピース２０Ｃの勾形体２１Ｃが底板２３Ｃと一体成形後、更に底板２３Ｃをその清掃素子の頂面に貼合する。而も第２粘着ピース３０Ｃの勾形体３１Ｃは水絞り板６Ｃと一体成形して水絞り板６Ｃの底面に形成する。
【００３４】
更に図１０は、本考案の第５実施例を示す。この実施例が前述各実施例と異なる所は、その採択する第１粘着ピース２０Ｄに長條状の底板２２Ｄを有し、その底板２２Ｄの長さは清掃素子１０Ｄの長さと略同一であり、且つ、その表面に毛布体２１Ｄを設けている。このため第４実施例の第１粘着ピース２０Ｄが清掃素子１０Ｄの長さと略同じ長條状ピース体から成り、前述した各実施例と異なって、採用されるのは左右が分離した第１粘着ピースの構造にある。
【符号の説明】
【００３５】
１    モップ                          
２    把持棒
３    フレームブラケット              
４    枢接部
５    接続部材                    
６，６Ａ，６Ｂ，６Ｃ    水絞り板
７    ひき棒                          
８    連接棒
１０，１０Ｂ，１０Ｃ，１０Ｄ    清掃素子    
２０，２０Ｂ，２０Ｃ，２０Ｄ    第１粘着ピース
２１，２１Ｂ，２１Ｄ    毛布体               
２２Ｃ，３２，３２Ａ，３２Ｃ    逆勾形状
２２Ｄ，２３Ｃ    底板                 
３０，３０Ａ，３０Ｂ，３０Ｃ    第２粘着ピース
４０    固定帯                     
４１，４２    粘着帯
【図１】
0003157607.tif 000003
【図２】
0003157607.tif 000004
【図３】
0003157607.tif 000005
【図４】
0003157607.tif 000006
【図５】
0003157607.tif 000007
【図６】
0003157607.tif 000008
【図７】
0003157607.tif 000009
【図８】
0003157607.tif 000010
【図９】
0003157607.tif 000011
【図１０】
0003157607.tif 000012